(57)【要約】【課題】実装用パッドと電子部品の電極とのピッチずれを抑制しつつ、高精度な層間の位置合わせを実現することができる描画装置、露光描画装置、プログラム及び描画方法を提供する。【解決手段】被露光基板に設けられた複数の基準マークの設計上の位置である第１の位置を示す座標データ、第１の位置を基準として定められた被露光基板に描画する描画パターンを示す座標データ、及び複数の基準マークの各々の実際の位置である第２の位置を示す座標データを取得し（Ｓ１０３、Ｓ１０７）、第１の位置及び第２の位置に基づいて被露光基板の歪みの大きさを示す物理量を導出し、かつ複数の基準マークの各々毎に、第１の位置及び第２の位置のずれに対する補正量を導出し（Ｓ１１３、Ｓ１１４）、導出した補正量の各々から、上記物理量が大きくなるほど多い量を低減し（Ｓ１１９）、低減した補正量に基づいて描画パターンを示す座標データを補正する（Ｓ１２７）。【選択図】図１２
2014199298.tif 000002
【特許請求の範囲】
【請求項１】
被露光基板に設けられた複数の基準マークの設計上の位置である第１の位置を示す座標データ、前記第１の位置を基準として定められた前記被露光基板に描画する描画パターンを示す座標データ、及び前記複数の基準マークの各々の実際の位置である第２の位置を示す座標データを取得する取得部と、
前記第１の位置及び前記第２の位置に基づいて前記被露光基板の歪みの大きさを示す物理量を導出し、かつ前記複数の基準マークの各々毎に、前記第１の位置及び前記第２の位置のずれに対する補正量を導出する導出部と、
前記導出部で導出された補正量の各々から、前記物理量が大きくなるほど多い量を低減する低減部と、
前記第２の位置を基準として前記被露光基板に前記描画パターンを描画する場合、前記低減部で低減された補正量に基づいて前記描画パターンを示す座標データを補正する補正部と、
を備えた描画装置。
【請求項２】
前記導出部は、前記物理量として、前記複数の基準マークの各々毎の前記第１の位置及び前記第２の位置のずれ量の最大値、前記ずれ量の各々の平均値、及び前記ずれ量の各々の積算値の少なくとも１つを導出する
請求項１記載の描画装置。
【請求項３】
前記導出部は、前記物理量として、前記第１の位置に基づいて得られる前記複数の基準マークの相互間の距離と、対応する前記第２の位置に基づいて得られる前記複数の基準マークの相互間の距離との差分の最大値、前記差分の各々の平均値、及び前記差分の各々の積算値の少なくとも１つを導出する
請求項１記載の描画装置。
【請求項４】
前記低減手段は、前記導出部で導出された補正量の各々に、前記物理量が大きくなるほど小さい１未満の正の値を乗算すること、前記物理量が大きくなるほど大きい１を超える値で除算すること、及び前記物理量が大きくなるほど大きくかつ当該補正量より小さい正の値を減算することの少なくとも１つを行うことにより、前記導出部で導出された補正量の各々から、前記物理量が大きくなるほど多い量を低減する
請求項１乃至３の何れか１項記載の描画装置。
【請求項５】
前記描画パターンは、電子配線を示す回路パターンであり、
前記補正部は、前記低減部で低減された補正量が、前記描画パターンにおけるランドの内部に導通ビアが収まるものとして定められた第１の補正量より大きい場合、当該第１の補正量に基づいて前記描画パターンを示す座標データを補正する
請求項１乃至４の何れか１項記載の描画装置。
【請求項６】
前記描画パターンは、ソルダーレジスト層の部品実装用の開口穴を示すソルダーレジストパターンであり、
前記補正部は、前記低減部で低減された補正量が、前記開口穴が部品と接合するための導体パッドの内部に納まるものとして定められた第２の補正量より大きい場合、当該第２の補正量に基づいて前記描画パターンを示す座標データを補正する
請求項１乃至４の何れか１項記載の描画装置。
【請求項７】
前記導出手段は、前記第１の位置及び前記第２の位置のずれ量から、前記被露光基板の平行移動によるずれ、回転によるずれ、及び伸縮によるずれの少なくとも１つを減算したずれ量に基づいて前記補正量を導出する
請求項１乃至６の何れか１項記載の描画装置。
【請求項８】
前記物理量及び前記補正量の低減率が各々対応付けられた低減情報の入力を受け付ける受付部を更に備え、
前記低減部は、前記受付部で受け付けられた低減情報において前記導出部で導出された前記物理量に対応付けられた低減率を用いて、前記導出部で導出された補正量を低減する
請求項１乃至７の何れか１項記載の描画装置。
【請求項９】
請求項１乃至８の何れか１項記載の描画装置と、
前記描画装置の前記補正手段で補正された座標データに基づいて前記被露光基板に前記描画パターンを露光して描画する露光部と、
を備えた露光描画装置。
【請求項１０】
前記被露光基板に複数の層の描画パターンを積層させて描画する場合に、前記取得部、前記導出部、前記低減部、前記補正部、及び前記露光部を制御し、前記複数の層の各々毎に、前記取得部による取得、前記導出部による導出、前記低減部による低減、前記補正部による補正、及び前記露光部による露光の各々を行う制御部を更に備えた
請求項９記載の露光描画装置。
【請求項１１】
前記被露光基板の歪みの大きさとして許容される上限である前記物理量の最大許容量を示す許容量情報を記憶する記憶部を更に備え、
前記制御部は、前記導出部で導出された前記物理量が前記許容量情報によって示される最大許容量より大きい場合、前記被露光基板に対する前記露光部による露光を禁止する
請求項１０記載の露光描画装置。
【請求項１２】
コンピュータを、
被露光基板に設けられた複数の基準マークの設計上の位置である第１の位置を示す座標データ、前記第１の位置を基準として定められた前記被露光基板に描画する描画パターンを示す座標データ、及び前記複数の基準マークの各々の実際の位置である第２の位置を示す座標データを取得する取得部と、
前記第１の位置及び前記第２の位置に基づいて前記被露光基板の歪みの大きさを示す物理量を導出し、かつ前記複数の基準マークの各々毎に、前記第１の位置及び前記第２の位置のずれに対する補正量を導出する導出部と、
前記導出部で導出された補正量の各々から、前記物理量が大きくなるほど多い量を低減する低減部と、
前記第２の位置を基準として前記被露光基板に前記描画パターンを描画する場合、前記低減部で低減された補正量に基づいて前記描画パターンを示す座標データを補正する補正部と、
として機能させるためのプログラム。
【請求項１３】
被露光基板に設けられた複数の基準マークの設計上の位置である第１の位置を示す座標データ、前記第１の位置を基準として定められた前記被露光基板に描画する描画パターンを示す座標データ、及び前記複数の基準マークの各々の実際の位置である第２の位置を示す座標データを取得する取得ステップと、
前記第１の位置及び前記第２の位置に基づいて前記被露光基板の歪みの大きさを示す物理量を導出し、かつ前記複数の基準マークの各々毎に、前記第１の位置及び前記第２の位置のずれに対する補正量を導出する導出ステップと、
前記導出ステップで導出された補正量の各々から、前記物理量が大きくなるほど多い量を低減する低減ステップと、
前記第２の位置を基準として前記被露光基板に前記描画パターンを描画する場合、前記低減ステップで低減された補正量に基づいて前記描画パターンを示す座標データを補正する補正ステップと、
を備えた描画方法。
【発明の詳細な説明】
【技術分野】
【０００１】
本発明は、描画装置、露光描画装置、プログラム及び描画方法に係り、特に、基板に対して描画パターンを描画する描画装置、基板に対して描画パターンを露光により描画する露光描画装置、上記描画装置により実行されるプログラム、及び、基板に対して描画パターンを描画する描画方法に関する。
【背景技術】
【０００２】
従来、ガラス布に対して含浸処理を行い乾燥させたプリプレグや、剛性機能の優れた金属板等をコア基板とし、これらのコア基板上に樹脂層と配線層とを多層に積み重ねた多層配線構造を有する多層配線基板が知られている。また、近年、この多層配線基板に対して薄型化及び省スペース化が要求されていることから、コア層を有さない薄型の多層配線基板が提案されている。
【０００３】
これらの多層配線基板では、化学処理によって基板が反ってしまったり、強度不足により基板が変形してしまったりすることにより、各層に描画される描画パターン（配線パターン）の層間の位置合わせが困難になる場合がある。それにも関わらず、描画パターンの高密度化によって描画パターンにおけるランド径及び穴径が微細化されているため、高精度な層間の位置合わせが要求されている。
【０００４】
この要求を満たすために、基板の反り及び変形によって発生する基板の歪みに応じて描画パターンを変形させた上で基板に描画する技術が提案されてきた。この技術によると、層間の位置合わせの精度は向上するが、層を重ねるごとに歪みが蓄積するため、上位層に描画される描画パターンの形状が設計上の描画パターンの形状から乖離し、基板上への電子部品の実装が困難になることが懸念される。
【０００５】
また、描画パターンを示す画像を複数の領域に分割し、基板の歪みに応じて分割領域毎に上記画像を回転移動させる技術も提案されている。この技術によると、各分割領域において、設計上の描画パターンの形状と実際に描画される描画パターンの形状とのずれ量が低減される。しかし、この技術では、画像処理が複雑になるという課題、及び描画パターンを層間で接続するための位置決め孔を各分割領域に対して形成する機構が必要となるという課題があった。
【０００６】
これらの課題を解決するための技術として、特許文献１及び特許文献２には、画像処理が複雑になることなく、描画される描画パターンの設計上の描画パターンからのずれを抑制することができる描画装置が開示されている。
【０００７】
すなわち、上記特許文献１の描画装置は、基板の変形情報を予め取得しておき、当該変形情報に基づいて、変形後の基板に記録された描画パターンがラスターデータによって示される描画パターンと同一形状となるように当該ラスターデータを変換する。そして、変換されたラスターデータに基づいて変形前の基板に描画パターンを記録する。
【０００８】
また、上記特許文献２の描画装置は、描画対象とする領域を規定する位置座標と、上記領域に設けられた基準点の位置とを有する描画データを用いて、基板の位置座標の変位態様に基づいて基準点の位置を補正する。そして、補正した基準点の位置に基づいて上記領域の形状を維持したまま当該領域内の各座標を補正する。
【先行技術文献】
【特許文献】
【０００９】
【特許文献１】特開２００５−１５７３２６号公報
【特許文献２】特開２０１１−９５７４２号公報
【発明の概要】
【発明が解決しようとする課題】
【００１０】
上記特許文献１に開示されている技術では、取得した変形情報に基づいて描画パターンを大きく変形させるため、最終的に得られる基板への電子部品の実装は改善されるが、下層との位置合わせの精度が悪化する可能性がある、という課題があった。
【００１１】
また、上記特許文献２に開示されている技術でも、描画対象とする領域の大きさが補正前の領域の大きさから変化することに伴って、最終的に実装用パッドと電子部品の電極との位置ずれが発生し、基板上への電子部品の実装が困難になってしまう可能性がある。
【００１２】
本発明は上記課題に鑑みてなされたものであり、実装用パッドと電子部品の電極とのピッチずれを抑制しつつ、高精度な層間の位置合わせを実現することができる描画装置、露光描画装置、プログラム及び描画方法を提供することを目的とする。
【課題を解決するための手段】
【００１３】
上記目的を達成するために、本発明に係る描画装置は、被露光基板に設けられた複数の基準マークの設計上の位置である第１の位置を示す座標データ、上記第１の位置を基準として定められた上記被露光基板に描画する描画パターンを示す座標データ、及び上記複数の基準マークの各々の実際の位置である第２の位置を示す座標データを取得する取得部と、上記第１の位置及び上記第２の位置に基づいて上記被露光基板の歪みの大きさを示す物理量を導出し、かつ上記複数の基準マークの各々毎に、上記第１の位置及び上記第２の位置のずれに対する補正量を導出する導出部と、上記導出部で導出された補正量の各々から、上記物理量が大きくなるほど多い量を低減する低減部と、上記第２の位置を基準として上記被露光基板に上記描画パターンを描画する場合、上記低減部で低減された補正量に基づいて上記描画パターンを示す座標データを補正する補正部と、を備えている。
【００１４】
本発明に係る描画装置によれば、取得部により、被露光基板に設けられた複数の基準マークの設計上の位置である第１の位置を示す座標データ、上記第１の位置を基準として定められた上記被露光基板に描画する描画パターンを示す座標データ、及び上記複数の基準マークの各々の実際の位置である第２の位置を示す座標データが取得される。また、導出部により、上記第１の位置及び上記第２の位置に基づいて上記被露光基板の歪みの大きさを示す物理量が導出され、かつ上記複数の基準マークの各々毎に、上記第１の位置及び上記第２の位置のずれに対する補正量が導出される。
【００１５】
ここで、本発明に係る描画装置では、低減部により、上記導出部で導出された補正量の各々から、上記物理量が大きくなるほど多い量が低減される。
【００１６】
また、本発明に係る描画装置では、補正部により、上記第２の位置を基準として上記被露光基板に上記描画パターンを描画する場合、上記低減部で低減された補正量に基づいて上記描画パターンを示す座標データが補正される。
【００１７】
すなわち、本発明に係る描画装置は、基準マークの設計上の位置と実際の位置とのずれ量から導出した補正量の各々から、上記物理量が大きくなるほど多い量を低減させ、低減させた補正量に基づいて上記描画パターンを示す座標データを補正する。
【００１８】
このように、本発明に係る描画装置によれば、被露光基板の歪みの大きさが大きくなるほど補正量を小さくする結果、補正後の描画パターンの形状が被露光基板の歪みの形状に近付き、実装用パッドと電子部品の電極とのピッチずれを抑制しつつ、高精度な層間の位置合わせを実現することができる。
【００１９】
なお、本発明に係る描画装置は、上記導出部が、上記物理量として、上記複数の基準マークの各々毎の上記第１の位置及び上記第２の位置のずれ量の最大値、上記ずれ量の各々の平均値、及び上記ずれ量の各々の積算値の少なくとも１つを導出するようにしても良い。また、本発明に係る描画装置は、上記導出部が、上記物理量として、上記第１の位置に基づいて得られる上記複数の基準マークの相互間の距離と、対応する上記第２の位置に基づいて得られる上記複数の基準マークの相互間の距離との差分の最大値、上記差分の各々の平均値、及び上記差分の各々の積算値の少なくとも１つを導出するようにしても良い。上記物理量として基準マークの各々毎のずれ量の最大値を導出することにより、より確実に補正を行うことができる。また、基準マークの各々毎のずれ量の平均値を導出することにより、特異なずれに起因する誤補正の発生を抑制することができる。更に、基準マークの各々毎のずれ量の積算値を導出することにより、全てのずれ量を反映した補正を行うことができる。
【００２０】
なお、本発明に係る描画装置は、上記低減手段が、上記導出部で導出された補正量の各々に、上記物理量が大きくなるほど小さい１未満の正の値を乗算すること、上記物理量が大きくなるほど大きい１を超える値で除算すること、及び上記物理量が大きくなるほど大きくかつ当該補正量より小さい正の値を減算することの少なくとも１つを行うことにより、上記導出部で導出された補正量の各々から、上記物理量が大きくなるほど多い量を低減するようにしても良い。これにより、簡易な演算により補正量を低減させることができる。
【００２１】
なお、本発明に係る描画装置は、上記描画パターンが、電子配線を示す回路パターンであり、上記補正部が、上記低減部で低減された補正量が、上記描画パターンにおけるランドの内部に導通ビアが収まるものとして定められた第１の補正量より大きい場合、当該第１の補正量に基づいて上記描画パターンを示す座標データを補正するようにしても良い。これにより、被露光基板の不良の原因となるランド欠け（導通ビアのランド外へのはみ出し）を防止することができる。
【００２２】
なお、本発明に係る描画装置は、上記描画パターンが、ソルダーレジスト層の部品実装用の開口穴を示すソルダーレジストパターンであり、上記補正部が、上記低減部で低減された補正量が、上記開口穴が部品と接合するための導体パッドの内部に納まるものとして定められた第２の補正量より大きい場合、当該第２の補正量に基づいて上記描画パターンを示す座標データを補正するようにしても良い。これにより、被露光基板の不良の原因となる導体パッドと開口穴との位置ずれを防止することができる。
【００２３】
なお、本発明に係る描画装置は、上記導出手段が、上記第１の位置及び上記第２の位置のずれ量から、上記被露光基板の平行移動によるずれ、回転によるずれ、及び伸縮によるずれの少なくとも１つを減算したずれ量に基づいて上記補正量を導出するようにしても良い。これにより、実装用パッドと電子部品の電極とのピッチずれをより確実に抑制することができる。
【００２４】
なお、本発明に係る描画装置は、上記物理量及び上記補正量の低減率が各々対応付けられた低減情報の入力を受け付ける受付部を更に備え、上記低減部が、上記受付部で受け付けられた低減情報において上記導出部で導出された上記物理量に対応付けられた低減率を用いて、上記導出部で導出された補正量を低減するようにしても良い。これにより、補正量の低減の度合いを容易に設定することができる結果、ユーザにとっての利便性を向上させることができる。
【００２５】
一方、上記目的を達成するために、本発明に係る露光描画装置は、本発明に係る描画装置と、上記描画装置の上記補正手段で補正された座標データに基づいて上記被露光基板に上記描画パターンを露光して描画する露光手段と、を備えている。
【００２６】
従って、本発明に係る露光描画装置によれば、本発明に係る描画装置と同様に作用するので、当該描画装置と同様に、実装用パッドと電子部品の電極とのピッチずれを抑制しつつ、高精度な層間の位置合わせを実現することができる。
【００２７】
なお、本発明に係る露光描画装置は、上記被露光基板に複数の層の描画パターンを積層させて描画する場合に、上記取得部、上記導出部、上記低減部、上記補正部、及び上記露光部を制御し、上記複数の層の各々毎に、上記取得部による取得、上記導出部による導出、上記低減部による低減、上記補正部による補正、及び上記露光部による露光の各々を行う制御部を更に備えるようにしても良い。これにより、複数の描画パターンを積層させて描画する場合であっても、実装用パッドと電子部品の電極とのピッチずれを抑制しつつ、高精度な層間の位置合わせを実現することができる。
【００２８】
なお、本発明に係る露光描画装置は、上記被露光基板の歪みの大きさとして許容される上限である上記物理量の最大許容量を示す許容量情報を記憶する記憶部を更に備え、上記制御部が、上記導出部で導出された上記物理量が上記許容量情報によって示される最大許容量より大きい場合、上記被露光基板に対する上記露光部による露光を禁止するようにしても良い。これにより、無駄な露光の実施を回避することができる。
【００２９】
また、上記目的を達成するために、本発明に係るプログラムは、コンピュータを、被露光基板に設けられた複数の基準マークの設計上の位置である第１の位置を示す座標データ、上記第１の位置を基準として定められた上記被露光基板に描画する描画パターンを示す座標データ、及び上記複数の基準マークの各々の実際の位置である第２の位置を示す座標データを取得する取得部と、上記第１の位置及び上記第２の位置に基づいて上記被露光基板の歪みの大きさを示す物理量を導出し、かつ上記複数の基準マークの各々毎に、上記第１の位置及び上記第２の位置のずれに対する補正量を導出する導出部と、上記導出部で導出された補正量の各々から、上記物理量が大きくなるほど多い量を低減する低減部と、上記第２の位置を基準として上記被露光基板に上記描画パターンを描画する場合、上記低減部で低減された補正量に基づいて上記描画パターンを示す座標データを補正する補正部と、として機能させる。
【００３０】
従って、本発明に係るプログラムによれば、コンピュータを本発明に係る描画装置と同様に作用させることができるので、当該描画装置と同様に、実装用パッドと電子部品の電極とのピッチずれを抑制しつつ、高精度な層間の位置合わせを実現することができる。
【００３１】
さらに、上記目的を達成するために、本発明に係る描画方法は、被露光基板に設けられた複数の基準マークの設計上の位置である第１の位置を示す座標データ、上記第１の位置を基準として定められた上記被露光基板に描画する描画パターンを示す座標データ、及び上記複数の基準マークの各々の実際の位置である第２の位置を示す座標データを取得する取得ステップと、上記第１の位置及び上記第２の位置に基づいて上記被露光基板の歪みの大きさを示す物理量を導出し、かつ上記複数の基準マークの各々毎に、上記第１の位置及び上記第２の位置のずれに対する補正量を導出する導出ステップと、上記導出ステップで導出された補正量の各々から、上記物理量が大きくなるほど多い量を低減する低減ステップと、上記第２の位置を基準として上記被露光基板に上記描画パターンを描画する場合、上記低減ステップで低減された補正量に基づいて上記描画パターンを示す座標データを補正する補正ステップと、を備えている。
【００３２】
従って、本発明に係る描画方法によれば、本発明に係る描画装置と同様に作用するので、当該描画装置と同様に、実装用パッドと電子部品の電極とのピッチずれを抑制しつつ、高精度な層間の位置合わせを実現することができる。
【発明の効果】
【００３３】
本発明によれば、実装用パッドと電子部品の電極とのピッチずれを抑制しつつ、高精度な層間の位置合わせを実現する、という効果を奏する。
【図面の簡単な説明】
【００３４】
【図１】実施形態に係る露光描画装置の外観を示す斜視図である。
【図２】実施形態に係る露光描画装置の主要部の構成を示す斜視図である。
【図３】実施形態に係る露光描画装置の露光ヘッドの構成を示す斜視図である。
【図４】実施形態に係る露光描画装置において被露光基板に形成される露光済み領域を示す平面図である。
【図５】実施形態に係る露光描画装置の電気系の構成を示すブロック図である。
【図６Ａ】歪みが発生していない被露光基板の一例を示す平面図である。
【図６Ｂ】歪みが発生している被露光基板の一例を示す平面図である。
【図７】実施形態に係る露光制御処理における歪み量の導出方法の説明に供する平面図である。
【図８】実施形態に係る露光制御処理における歪み量の導出方法の別例の説明に供する平面図である。
【図９】実施形態に係る低減情報の一例を示す模式図である。
【図１０】実施形態に係る露光制御処理における被露光基板の歪みの大きさを示す物理量と低減率との関係の一例を示すグラフである。
【図１１Ａ】実施形態に係る露光描画装置において、被露光基板の歪みに応じた座標変換の対象とされる領域の一例を示す平面図である。
【図１１Ｂ】実施形態に係る露光描画装置において、被露光基板の歪みに応じた座標変換の対象とされる領域の別例を示す平面図である。
【図１１Ｃ】実施形態に係る露光描画装置において、被露光基板の歪みに応じた座標変換の対象とされる領域の別例を示す平面図である。
【図１２】第１実施形態に係る露光制御処理プログラムの処理の流れを示すフローチャートである。
【図１３】実施形態に係る露光制御処理における被露光基板の歪みに応じた座標変換の方法の説明に供する平面図である。
【図１４Ａ】第１実施形態に係る露光描画装置において、被露光基板の歪みに応じた座標変換を行っていない場合の対象画像の一例を示す平面図である。
【図１４Ｂ】第１実施形態に係る露光描画装置において、被露光基板の歪みに応じた座標変換を、補正量を低減させつつ行った場合の座標変換後の対象画像の一例を示す平面図である。
【図１５】第１実施形態に係る露光描画装置において被露光基板に多層に描画パターンを描画した場合の被露光基板の一例を示す断面図である。
【図１６】第１実施形態に係る露光描画装置において被露光基板に多層に描画パターンを描画した場合の各層に描画される対象画像の一例を示す平面図である、
【図１７】アニュラーリングの説明に供する平面図である。
【図１８】第２実施形態に係る露光制御処理プログラムの処理の流れを示すフローチャートである。
【図１９】第２実施形態に係る露光描画装置において、被露光基板の歪みに応じた座標変換を、補正量を低減させつつ行った場合の座標変換後の対象画像の一例を示す拡大平面図である。
【図２０】第２実施形態に係る露光描画装置において、被露光基板の歪みに応じた座標変換を、低減補正量を制限せずに行った場合の座標変換後の対象画像の一例（左図）、及び低減補正量を制限しつつ行った場合の座標変換後の対象画像の一例（右図）を示す平面図である。
【発明を実施するための形態】
【００３５】
〔第１実施形態〕
以下、実施形態に係る露光描画装置について添付図面を用いて詳細に説明する。本実施形態では、本発明を、被露光基板（後述する被露光基板Ｃ）に光ビームを露光して回路パターン、ソルダーレジスト層の部品実装用の開口穴を示すソルダーレジストパターン等の描画パターンを描画する露光描画装置に適用した場合を例に挙げて説明する。なお、被露光基板としては、プリント配線基板、フラットパネルディスプレイ用ガラス基板等の平板基板が例示される。また、本実施形態に係る露光描画装置では、露光描画の対象とする被露光基板が矩形状の形状を呈したものとされている。
【００３６】
図１及び図２に示すように、本実施形態に係る露光描画装置１０は、被露光基板Ｃを固定するための平板状のステージ１２を備えている。ステージ１２の上面には、空気を吸入する複数の吸入孔（図示省略）が設けられている。これにより、ステージ１２の上面に被露光基板Ｃが載置された際に、被露光基板Ｃ及びステージ１２間の空気が吸入されることで被露光基板Ｃがステージ１２に真空吸着される。
【００３７】
本実施形態に係るステージ１２は、卓状の基体１４の上面に移動可能に設けられた平板状の基台１６に支持されている。すなわち、基体１４の上面には、１本または複数本（本実施形態では、２本）のガイドレール１８が設けられている。基台１６は、ガイドレール１８に沿って自在に移動できるようにガイドレール１８に支持されており、モータ、油圧ポンプ等により構成された駆動機構（後述するステージ駆動部４２）により駆動されて移動する。したがって、ステージ１２は、基台１６の移動に連動してガイドレール１８に沿って移動する。
【００３８】
なお、図２に示すように、以下では、ステージ１２が移動する方向をＹ方向と定め、このＹ方向に対して水平面内で直交する方向をＸ方向と定め、Ｙ方向に鉛直面内で直交する方向をＺ方向と定める。
【００３９】
基体１４の上面には、２本のガイドレール１８を跨ぐように立設された門型のゲート２０が設けられている。ステージ１２に載置された被露光基板Ｃは、ゲート２０の開口部をガイドレール１８に沿って出入りするようにして移動する。ゲート２０の開口部の上部には、当該開口部に向けて光ビームを露光する露光部２２が取り付けられている。この露光部２２により、ステージ１２がガイドレール１８に沿って移動して上記開口部に位置している場合に、ステージ１２に載置された被露光基板Ｃの上面に光ビームが露光される。
【００４０】
本実施形態に係る露光部２２は、複数個（本実施形態では、１０個）の露光ヘッド２２ａを含んで構成されている。また、露光部２２には、後述する光源ユニット２４から引き出された光ファイバ２６と、後述する画像処理ユニット２８から引き出された信号ケーブル３０とがそれぞれ接続されている。
【００４１】
露光ヘッド２２ａの各々は、反射型の空間光変調素子としてのデジタルマイクロミラーデバイス（ＤＭＤ）を有している。一方、露光描画装置１０は、露光ヘッド２２ａに対して光ビームを出射する光源ユニット２４、及び、露光ヘッド２２ａに対して画像情報を出力する画像処理ユニット２８を備えている。露光ヘッド２２ａは、画像処理ユニット２８から入力した画像情報に基づいてＤＭＤを制御することで光源ユニット２４からの光ビームを変調する。露光描画装置１０は、この変調した光ビームを被露光基板Ｃに照射することにより被露光基板Ｃに対する露光を行う。なお、空間光変調素子は反射型に限定されず、液晶等の透過型の空間光変調素子であっても良い。
【００４２】
基体１４の上面には、さらに、２本のガイドレール１８を跨ぐように立設された門型のゲート３２が設けられている。ステージ１２に載置された被露光基板Ｃは、ゲート３２の開口部をガイドレール１８に沿って出入りするようにして移動する。
【００４３】
ゲート３２の開口部の上部には、当該開口部を撮影するための１個または複数個（本実施形態では、２個）の撮影部３４が取り付けられている。撮影部３４は、１回の発光時間が極めて短いストロボを内蔵したＣＣＤカメラ等である。また、ゲート３２の開口部の上部には、ステージ１２の移動方向（Ｙ方向）に対して水平面内において垂直な方向（Ｘ方向）に沿ってレール３４ａが設けられ、撮影部３４の各々はレール３４ａに案内されて移動可能に設けられている。この撮影部３４により、ステージ１２がガイドレール１８に沿って移動して上記開口部に位置している場合に、ステージ１２に載置された被露光基板Ｃの上面が撮影される。
【００４４】
次に、本実施形態に係る露光ヘッド２２ａによる露光処理について説明する。
【００４５】
図３に示すように、本実施形態に係る露光ヘッド２２ａで露光される領域である画像領域２２ｂは、一方の辺が、ステージ１２の移動方向（Ｙ方向）に対して予め定められた傾斜角で傾斜した矩形状である。また、ステージ１２がゲート２０の開口部を移動している際に露光ヘッド２２ａにより光ビームが露光されると、ステージ１２の移動に伴って被露光基板Ｃに露光ヘッド２２ａ毎に帯状の露光済み領域２２ｃが形成される。
【００４６】
また、図２及び図３に示すように、露光ヘッド２２ａの各々は、露光部２２にマトリクス状に配列され、図４に示すように、Ｘ方向に、画像領域２２ｂの長辺の長さを自然数倍（本実施形態では、１倍）した距離ずつずらして配置されている。そして、露光済み領域２２ｃの各々は、隣接する露光済み領域２２ｃと部分的に重ねられて形成される。
【００４７】
次に、本実施形態に係る露光描画装置１０の電気系の構成について説明する。
【００４８】
図５に示すように、露光描画装置１０には、装置各部にそれぞれ電気的に接続されるシステム制御部４０が設けられており、このシステム制御部４０により露光描画装置１０の各部が統括的に制御される。また、露光描画装置１０は、ステージ駆動部４２、操作装置４４、撮影駆動部４６、及び外部入出力部４８を有している。
【００４９】
システム制御部４０は、ＣＰＵ（Central Processing Unit）、ＲＡＭ（Random Access Memory）、ＲＯＭ（Read Only Memory）、及びＨＤＤ（Hard Disk Drive）４０Ａを有している。また、システム制御部４０は、上記ＣＰＵにより、光源ユニット２４から光ビームを出射させると共に、ステージ１２の移動に応じたタイミングで対応する画像情報を画像処理ユニット２８により出力させることで、被露光基板Ｃに対する光ビームの露光を制御する。
【００５０】
ステージ駆動部４２は、上述したように、モータ、油圧ポンプ等により構成された駆動機構を有しており、システム制御部４０の制御によってステージ１２を移動させる。
【００５１】
操作装置４４は、システム制御部４０の制御により各種情報を表示する表示部と、ユーザ操作により各種情報を入力する入力部とを有している。
【００５２】
撮影駆動部４６は、モータ、油圧ポンプ等により構成された駆動機構を有しており、システム制御部４０の制御によって撮影部３４を移動させる。
【００５３】
外部入出力部４８は、露光描画装置１０に接続されたパーソナルコンピュータ等の情報処理装置との間で各種情報の入出力を行う。
【００５４】
ところで、図２に示すように、本実施形態に係る被露光基板Ｃには、画像が描画される際の位置決めの基準とされる複数（本実施形態では、４つ）のアライメントマーク（以下、「基準マーク」という。）Ｍが設けられている。一例として図６Ａに示すように、本実施形態に係る露光描画装置１０では、被露光基板Ｃの角部の各々に基準マークＭ１乃至Ｍ４（以下、４つをまとめて「基準マークＭ」ともいう。）が設けられている。具体的には、被露光基板Ｃの図６Ａの正面視左上の位置に基準マークＭ１、右上の位置に基準マークＭ２、左下の位置に基準マークＭ３、及び右下の位置に基準マークＭ４が各々設けられている。
【００５５】
本実施形態に係る露光描画装置１０は、被露光基板Ｃに、基準マークＭの各々に対して予め定められた相対位置に画像情報によって示される描画パターン等の画像（以下、「対象画像」という。）６２を描画する。本実施形態に係る露光描画装置１０では、対象画像６２の外郭形状が矩形状であるが、これに限定されず、楕円形状、星型形状等、任意の形状であっても良い。
【００５６】
露光描画装置１０は、対象画像６２を描画する際、被露光基板Ｃに対して光ビームを露光する前に、撮影部３４によって基準マークＭの各々を撮影し、撮影画像から基準マークＭの各々の位置を計測する。そして露光描画装置１０は、計測した基準マークＭの各々の位置に基づいて対象画像６２を描画させる領域を決定し、決定した領域に対象画像６２を描画する。
【００５７】
また、一例として図６Ｂに示すように、従来の露光描画装置１０には、被露光基板Ｃに対象画像６２を描画する前に、基準マークＭの各々の位置から被露光基板Ｃの歪み量を導出するものがあった。そして、この従来の露光描画装置１０では、導出した歪みの大きさに応じて対象画像６２の形状を補正する。
【００５８】
この際、本実施形態に係る露光描画装置１０は、設計上の対象画像６２の形状と描画される対象画像６２の形状とが乖離することによって電子部品の実装の精度が低下することを防止するため、対象画像６２の被露光基板Ｃの歪みに対する補正量を低減する。このとき、本実施形態に係る露光描画装置１０は、基準マークＭの各々のずれ量に対応する補正量（以下、「純補正量」という。）から、被露光基板Ｃの歪みの大きさを示す物理量が大きくなるほど多い量を低減する。これにより、対象画像６２の設計上の形状からの変形が抑制される。そして、本実施形態に係る露光描画装置１０は、低減した基準マークＭの各々の補正量（以下、「低減補正量」という。）に応じて対象画像６２を変形させる。
【００５９】
なお、一例として図７に示すように、本実施形態に係る露光描画装置１０は、上記物理量として、基準マークＭの各々毎の設計上の位置と計測で得られた位置（実際の位置）とのずれ量ｄｅの最大値を用いる。図７では、設計上の基準マークＭの各々の位置を実線で接続して示し、計測で得られた基準マークＭの各々の位置を点線で接続して示している。また、図７の正面視左右方向をｘ方向、正面視上下方向をｙ方向とし、ｘ方向に対するずれ量をずれ量ｄｘ、ｙ方向に対するずれ量をずれ量ｄｙとすると、ずれ量ｄｅは、下記の（１）式で表される。
【００６０】
【数１】
2014199298.tif 000003
このように、本実施形態に係る露光描画装置１０では、上記ずれ量の最大値を上記物理量として用いるが、これに限定されず、当該ずれ量の各々の平均値、または当該ずれ量の各々の積算値を上記物理量として用いても良い。また、上記最大値、上記平均値、上記積算値の複数の組み合わせを上記物理量として用いても良い。
【００６１】
あるいは、一例として図８に示すように、基準マークＭ１乃至Ｍ４の相互間の設計上の距離Ｐａ１乃至Ｐａ６と計測で得られた距離Ｐｂ１乃至Ｐｂ６との対応する距離同士の差分の最大値を上記物理量として用いても良い。なお、図８では、図７と同様に、設計上の基準マークＭの各々の位置を実線で接続して示し、計測で得られた基準マークＭの各々の位置を点線で接続して示している。なお、上記差分の各々の平均値、または上記差分の各々の積算値を上記物理量として用いても良い。更に、上記最大値、上記平均値、及び上記積算値の複数の組み合わせを上記物理量として用いても良い。
【００６２】
一方、本実施形態に係る露光描画装置１０は、低減補正量を導出するために、設計上の基準マークＭの各々の位置が座標データで表された位置情報と、低減情報５０とを、システム制御部４０のＨＤＤ４０Ａの所定領域に予め記憶している。
【００６３】
一例として図９に示すように、本実施形態に係る低減情報５０は、上記物理量を示す物理量情報と、純補正量を低減させる際の低減率を示す低減率情報と、被露光基板Ｃに対する処理内容を示す処理内容情報とが各々対応付づけられた情報である。なお、同図に示すように、上記低減率情報において、低減率が範囲で示されている場合には、低減率が当該範囲内で直線的または曲線的に大きくなることを示している。
【００６４】
また、本実施形態に係る低減情報５０では、上記処理内容情報として、被露光基板Ｃに対象画像６２を描画する露光描画処理、及び被露光基板Ｃに対象画像６２を描画せずに被露光基板Ｃを排出するエラー処理の何れか一方を記憶する。露光描画装置１０は、低減情報５０において上記物理量に対応付けられた処理内容情報によって示される処理内容が露光描画処理であった場合、当該物理量に対応付けられた低減率情報によって示される低減率で純補正量を低減させた上で、露光描画処理を実行する。一方、露光描画装置１０は、低減情報５０において上記物理量に対応付けられた処理内容情報によって示される処理内容がエラー処理であった場合、露光描画処理を行うことなく被露光基板Ｃを露光描画装置１０から排出する。ただし、エラー処理の処理内容はこれに限定されず、被露光基板Ｃに対する低減率を固定値とし、露光描画処理を行った上で、エラーが発生したことを示す情報を被露光基板Ｃに描画しても良い。なお、本実施形態に係る露光描画装置１０では、図９に示すように、低減情報５０において、上記物理量が１００μｍ以上である場合の処理内容がエラー処理とされている。
【００６５】
ここで、一例として図９及び図１０に示すように、本実施形態に係る露光描画装置１０では、低減情報５０において、上記物理量が大きくなる程、上記低減率を大きくしている。これは、上記物理量が大きくなる程、純補正量に対する低減量が多くなる、すなわち低減補正量が少なくなることを意味する。この場合、対象画像６２が、低減補正量を用いない場合に比較して、対象画像６２の設計上の形状より被露光基板Ｃの歪みの形状に近い形状に変形される。これにより、実装用パッドと電子部品の電極との位置ずれが抑制される。
【００６６】
なお、本実施形態に係る露光描画装置１０では、図１０に示すように、上記物理量が大きくなる程、低減率を階段状に多くしていくが、低減率を多くする方法はこれに限定されない。例えば、上記物理量が大きくなる程、低減率を直線状に多くしていっても良い。また、上記物理量が大きくなる程、低減率の増加量が多くなる曲線状、または上記物理量が大きくなる程、低減率の増加量を少なくなる曲線状に各々多くしていっても良い。
【００６７】
本実施形態に係る露光描画装置１０は、上記物理量と低減情報５０とを用いて低減率を決定し、純補正量と低減率とから低減補正量を導出する。そして、露光描画装置１０は、導出した低減補正量に応じて基準マークＭの各々の位置を補正し、補正した基準マークＭの各々の位置に基づいて対象画像６２を変形させ、変形させた対象画像６２を被露光基板Ｃに描画する。
【００６８】
なお、本実施形態に係る露光描画装置１０では、ユーザにより操作装置４４の入力部を介して低減情報５０の入力を受け付け、受け付けた低減情報５０をシステム制御部４０のＨＤＤ４０Ａに記憶する。しかし、これに限定されず、例えば、低減情報５０における各情報を固定値として、システム制御部４０のＨＤＤ４０Ａに予め記憶しておいても良い。
【００６９】
また、本実施形態に係る露光描画装置１０では、対象画像６２を変形させる際に、一例として図１１Ａに示すように、対象画像６２の領域全体を、座標変換の対象である対象領域（図１１Ａ及び図１１Ｂにおいてドット模様で示す領域）６４とする。しかし、対象領域６４はこれに限定されず、一例として図１１Ｂに示すように、４つの基準マークＭ１乃至Ｍ４の重心の位置を角点とした矩形状の領域を対象領域６４としても良い。または、一例として図１１Ｃに示すように、被露光基板Ｃの露光対象とする面の全体を対象領域６４としても良く、あるいは、対象画像６２の一部の領域を対象領域６４としても良い。
【００７０】
また、被露光基板Ｃの端部等に、被露光基板Ｃの識別番号等の回路パターン以外の画像を描画する場合があるが、この場合には、当該画像の描画領域については座標変換を行わずに回路パターンの描画領域のみ座標変換を行うようにすると良い。これは、被露光基板Ｃの識別番号等の文字列を示す画像は、被露光基板Ｃに歪みの状況に依らず、変形させない方が描画内容を確認しやすいからである
次に、図１２を参照して、本実施形態に係る露光描画装置１０の作用を説明する。なお、図１２は、操作装置４４の入力部を介して実行指示が入力された際に露光描画装置１０のシステム制御部４０によって実行される露光制御処理プログラムの処理の流れを示すフローチャートである。当該プログラムは、システム制御部４０に上記ＲＯＭの所定領域に予め記憶されている。
【００７１】
また、錯綜を回避するために、対象画像６２を示す座標データ（本実施形態では、ベクトルデータ）である画像情報が、システム制御部４０のＨＤＤ４０Ａに記憶されている場合を例に挙げて説明する。なお、本実施形態に係る露光描画装置１０では、上記画像情報が描画パターンを示すベクトルデータであるが、これに限定されず、ラスターデータであっても良い。
【００７２】
まず、ステップＳ１０１では、描画する対象画像６２を示す座標データである画像情報を、ＨＤＤ４０Ａから読み出すことにより取得する。しかし、システム制御部４０は、外部入出力部４８を介して外部から画像情報を入力することにより、画像情報を取得しても良い。
【００７３】
次のステップＳ１０３では、上述した、設計上の基準マークＭの各々の位置が座標データで表された位置情報を、ＨＤＤ４０Ａから読み出すことにより取得する。
【００７４】
このように、本実施形態に係る露光描画装置１０では、システム制御部４０は、上記位置情報をＨＤＤ４０Ａから読み出すことにより取得するが、取得方法はこれに限定されず、外部入出力部４８を介して外部から位置情報を入力する方法であっても良い。
【００７５】
次のステップＳ１０５では、基準マークＭの各々が撮影部３４の撮影領域に含まれる位置を被露光基板Ｃが通過するように、ステージ１２を移動させる。
【００７６】
次のステップＳ１０７では、実際の基準マークＭの各々の位置を計測する。この際、システム制御部４０は、撮影部３４による撮影画像から基準マークＭの各々に対応する領域を抽出し、抽出した領域の重心座標を基準マークＭの各々の位置座標として導出する。このように、本実施形態に係る露光描画装置１０では、上記撮影画像を用いて基準マークＭの各々の位置を計測するが、これに限定されず、当該計測を外部装置で行い、計測結果を示す情報を外部入出力部４８を介して外部から入力しても良い。
【００７７】
次のステップＳ１０９では、ステップＳ１０３の処理で取得した設計上の基準マークＭの各々の位置とステップＳ１０７の処理で計測した基準マークＭの各々の位置とのずれ量から、被露光基板Ｃの回転量、オフセット量、伸縮倍率の各々を導出する。なお、ここでいう上記回転量は、予め定められた直交座標系（本実施の形態では、一例として図９に示すｘ−ｙ座標系）における設計上の基準マークＭの位置から対応する実際の基準マークＭの位置に至る回転角度である。また、ここでいう上記オフセット量は、上記直交座標系における設計上の基準マークＭの位置から対応する実際の基準マークＭの位置に至る平行移動量である。さらに、ここでいう上記伸縮倍率は、上記直交座標系における設計上の基準マークＭの位置から対応する実際の基準マークＭの位置に至る拡大倍率または縮小倍率である。
【００７８】
システム制御部４０は、基準マークＭの各々の位置座標を用いた最小二乗法により、ｘ方向のオフセット量ｏｆｓｘ、ｙ方向のオフセット量ｏｆｓｙ、ｘ方向の伸縮倍率ｋｘ、ｙ方向の伸縮倍率ｋｙ、及び回転量θの各パラメータを被露光基板Ｃの各々毎に導出する。
【００７９】
すなわち、上記各パラメータを導出する際、被露光基板Ｃの歪みを考えず、設計上の基準マークＭの各々の位置と、計測した基準マークＭの各々の位置とが、上記各パラメータを含んで一義的な関係にあると仮定する。そして、上記各パラメータの平均的な偏差が最小になるように上記各パラメータを決定する（一例として特開昭６１−４４４２９号公報等を参照）。この上記各パラメータを決定する方法は、アフィン変換等で用いられる既知の方法であるため、これ以上のここでの説明を省略する。
【００８０】
次のステップＳ１１１では、ステップＳ１０７の処理で計測した基準マークＭの各々の位置座標を、上記ステップＳ１０９の処理で導出した回転量、オフセット量、及び伸縮倍率に基づいて変換する。これにより、被露光基板Ｃをステージ１２に配置する際の配置位置のずれによる基準マークＭの各々の位置のずれ量が打ち消される。
【００８１】
このように、本実施形態に係る露光描画装置１０では、ステップＳ１０７の処理で計測した基準マークＭの各々の位置座標を、被露光基板Ｃの回転量、オフセット量、及び伸縮倍率の各々に基づいて変換するが、これに限らない。例えば、被露光基板Ｃの回転量、オフセット量、及び伸縮倍率の何れか１つに基づいて変換しても良く、複数の組み合わせに基づいて変換しても良い。
【００８２】
次のステップＳ１１３では、上記ステップＳ１１１の処理で座標変換された基準マークＭの各々の位置座標に基づいて純補正量を導出する。以下、基準マークＭ１、Ｍ２、Ｍ３、Ｍ４の各々の純補正量をそれぞれ（ｄｘ０，ｄｙ０）、（ｄｘ１，ｄｙ１）、（ｄｘ２，ｄｙ２）、（ｄｘ３，ｄｙ３）と表す。
【００８３】
次のステップＳ１１４では、上記ステップＳ１０３で取得した上記位置情報、及び上記ステップＳ１１１の処理で座標変換された基準マークＭの各々の位置座標に基づいて、上記物理量（本実施形態では、基準マークＭの各々のずれ量の最大値）を導出する。
【００８４】
次のステップＳ１１５では、低減情報５０をシステム制御部４０のＨＤＤ４０Ａから読み出す。
【００８５】
次のステップＳ１１７では、読み出した低減情報５０において、上記ステップＳ１１４の処理で導出した物理量を示す物理量情報に対応付けられた処理内容情報によって示される処理内容が、露光描画処理であるか否かを判定する。
【００８６】
ステップＳ１１７で肯定判定となった場合はステップＳ１１９に移行する。一方、ステップＳ１１７で否定判定となった場合はステップＳ１３５に移行し、エラー処理として、被露光基板Ｃがステージ１２から取り外される位置までステージ１２を移動させて、本露光制御処理プログラムの実行を終了する。この場合、被露光基板Ｃは、露光描画処理が行われることなくステージ１２から取り外され、露光描画装置１０の外部に排出される。
【００８７】
一方、ステップＳ１１９では、読み出した低減情報５０において、上記ステップＳ１１４の処理で導出した物理量を示す物理量情報に対応付けられた低減率情報によって示される低減率Ｎを用いて純補正量を低減することにより、低減補正量を導出する。以下、基準マークＭ１、Ｍ２、Ｍ３、Ｍ４の各々の低減補正量をそれぞれ（ｄｘ０’，ｄｙ０’）、（ｄｘ１’，ｄｙ１’）、（ｄｘ２’，ｄｙ２’）、（ｄｘ３’，ｄｙ３’）と表す。
【００８８】
本実施形態に係る露光描画装置１０では、低減補正量（ｄｘ０’，ｄｙ０’）乃至（ｄｘ３’，ｄｙ３’）は、純補正量（ｄｘ０，ｄｙ０）乃至（ｄｘ３，ｄｙ３）に対して底辺率Ｎを乗算して得られ、下記の（２）式で表される。
【００８９】
【数２】
2014199298.tif 000004
【００９０】
次のステップＳ１２７では、ステップＳ１１９の処理により得られた低減補正量（ｄｘ’，ｄｙ’）を用いて、対象画像６２の対象領域６４内の各座標の座標変換を行う。
【００９１】
ここで、本実施形態に係る露光描画装置１０における対象画像６２の対象領域６４内の各座標の座標変換の方法について説明する。まず、システム制御部４０は、一例として図１３に示すように、座標変換の対象とされる座標に基づいて、対象画像６２を複数（本実施形態では、４つ）の領域に分割し、各分割領域の面積ＳＡ０乃至ＳＡ３を導出する。この際、同図に示すように、対象画像６２の内部に、各辺に対して平行となりかつ変換対象とされる座標を通る直線を引くことにより、対象画像６２を４つの領域に分割する。
【００９２】
なお、各分割領域の各々について、基準マークＭ１に対抗する領域（すなわち基準マークＭ４を含む領域）である図１０の正面視右下の領域の面積をＳＡ０と表す。また、基準マークＭ２に対抗する領域（すなわち基準マークＭ３を含む領域）である左下の領域の面積をＳＡ１と表す。また、基準マークＭ３に対抗する領域（すなわち基準マークＭ２を含む領域）である右上の領域の面積をＳＡ２と表す。更に、基準マークＭ４に対抗する領域（すなわち基準マークＭ１を含む領域）である左上の領域の面積をＳＡ３と表す。
【００９３】
また、システム制御部４０は、このようにして得られた分割領域ＳＡ０乃至ＳＡ３の面積と、ステップＳ１１５の処理により得られた低減補正量（ｄｘ０’，ｄｙ０’）乃至（ｄｘ３’，ｄｙ３’）とを、下記の（３）式に代入する。これにより得られる値が、上記座標変換の対象とされる座標の、被露光基板Ｃの歪みに対する補正量（ｄｄｘ，ｄｄｙ）となる。
【００９４】
【数３】
2014199298.tif 000005
【００９５】
例えば、同図に示すように、ｄｘ０’＝１，ｄｘ１’＝２，ｄｘ２’＝５，ｄｘ３’＝１０，ＳＡ０＝３，ＳＡ１＝９，ＳＡ２＝３，ＳＡ３＝１，ＳＳ＝１６であった場合には、ｄｄｘ＝（３×１＋９×２＋３×５＋１×１０）／１６≒２．９となる。
【００９６】
なお、被露光基板Ｃの歪みに対する補正量（ｄｄｘ，ｄｄｙ）の導出方法はこれに限定されない。すなわち、座標変換前の対象画像６２の所定位置である位置Ａ（ｘ、ｙ）から対象画像６２の各辺に対して垂線を引くことにより、対象画像６２の各辺を内分する。これにより、位置Ａに対する対象画像６２の各辺の内分比が求められる。座標変換後の対象画像６２においてその内分比に対応する位置Ｂを定め、位置Ａと位置Ｂとのずれ量を補正量（ｄｄｘ，ｄｄｙ）として定めても良い。
【００９７】
さらに、システム制御部４０は、対象画像６２における各座標の補正量（ｄｄｘ，ｄｄｙ）と、ｘ方向のオフセット量ｏｆｓｘ、ｙ方向のオフセット量ｏｆｓｙ、ｘ方向の伸縮倍率ｋｘ、ｙ方向の伸縮倍率ｋｙ、回転量θを次の（４）式に代入する。この（４）式により、座標変換の対象とされる各座標（ｘｌ，ｙｌ）についての座標変換後の座標（ｘｍ，ｙｍ）が求められる。
【００９８】
【数４】
2014199298.tif 000006
【００９９】
次のステップＳ１２９では、露光部２２から出射される光ビームによって被露光基板Ｃの上面が露光される位置まで、ステージ１２を移動させるようにステージ駆動部４２を制御する。
【０１００】
次のステップＳ１３１では、座標変換後の座標（ｘｍ，ｙｍ）を用いて被露光基板Ｃに対象画像６２を描画させるように光源ユニット２４及び画像処理ユニット２８を介して露光ヘッド２２ａを制御する。この際、システム制御部４０は、ステージ１２を予め定められた速度で移動させるようにステージ駆動部４２を制御することにより被露光基板Ｃを移動させつつ、被露光基板Ｃに対象画像６２を描画させるように露光ヘッド２２ａを制御する。
【０１０１】
次のステップＳ１３３では、被露光基板Ｃがステージ１２から取り外される位置まで、ステージ１２を移動させて、本露光制御処理プログラムの実行を終了する。
【０１０２】
このように、本実施形態に係る露光描画装置１０では、一例として図１４Ａに示すように、上記低減率が０％であった場合（Ｎ＝０）、システム制御部４０は、被露光基板Ｃの歪みに対する補正量を低減させずに対象画像６２を描画する。
【０１０３】
一方、一例として図１４Ｂに示すように、上記低減率が０％より大きい場合（Ｎ＞０）、システム制御部４０は、被露光基板Ｃの歪みに対する補正量を低減率に応じて低減させた上で対象画像６２を変形させて描画する。なお、図１４Ａ及び図１４Ｂでは、描画対象とされる描画パターンに、ランド６６及び導通ビア６８の位置関係がわかりやすいように、描画対象とされる層の基準マークＭの位置にランド６６が設けられ、他層の基準マークＭの位置に導通ビア６８が設けられている。
【０１０４】
一般的な露光描画装置では、例えば、図１５に示すように、被露光基板Ｃに複数の層（例えば４層）の描画パターン６２Ａ乃至６２Ｄを下位側から順に積層させて描画する場合、各層における描画が終了する毎に現像、エッチング、剥離等の化学処理を行う。また、一般的な露光描画装置では、さらにレイヤを重ねるために、プリプレグ層の積層、導通ビアの加工、フィルドビアメッキ、粗化処理、ＤＦＲ（Dry Film photoResist）のラミネーション等が行われる。そのため、図１６に示すように、１層目の描画パターン６２Ａ、２層目の描画パターン６２Ｂ、３層目の描画パターン６２Ｃ、４層目の描画パターン６２Ｄと、層を重ねる毎に被露光基板Ｃの歪みが大きくなっていくことが想定される。
【０１０５】
しかし、本実施形態に係る露光描画装置１０では、描画パターンを描画する際に、層毎に、上記物理量が大きくなる程、低減量を多くしつつ、被露光基板Ｃの歪みに対する補正量を低減させる。これにより、電子部品を基板上へ高精度で実装することができる。
【０１０６】
また、本実施形態に係る露光描画装置１０では、基準マークＭの各々の補正量に対して１より小さい正の値（低減率）を乗算することにより、純補正量を低減させるが、これに限定されない。すなわち、純補正量を１を超える値で除算すること、または純補正量から正の値を減算することにより、純補正量を低減させても良い。あるいは、上記乗算、除算、減算を複数組み合わせて純補正量を低減させても良い。
【０１０７】
さらに、被露光基板Ｃに描画パターンを複数積層させて描画する場合で、かつ被露光基板Ｃの最下位の層に描画パターンを描画する場合、被露光基板Ｃの歪みの補正を行わなくても良い。
【０１０８】
そして、本実施形態に係る露光描画装置１０では、本発明を、被露光基板Ｃに光ビームを露光して描画パターンを描画する露光描画装置１０に適用する場合について説明したが、これに限定されない。すなわち、本発明を、被描画体に設けられた基準マークＭの位置に基づいて、描画対象とされる画像を描画する任意の描画装置に適用することができる。また、本発明を、描画パターンを描画する各層の層間を電気的に接続する導通ビア等を形成するレーザ加工装置及びドリル加工装置に適用しても良い。また、基板の描画パターンを保護するためのソルダーレジスト層における部品実装用穴を形成するための露光描画装置及び加工装置に適用しても良い。これにより、高精度に電子部品を基板上へ実装することができる。
【０１０９】
〔第２実施形態〕
以下、本発明の第２実施形態に係る露光描画装置１０について説明する。
【０１１０】
第２実施形態に係る露光描画装置１０は、第１実施形態に係る露光描画装置１０と同様の構成を有するため、各構成の説明を省略する。
【０１１１】
第２実施形態に係る露光描画装置１０は、被露光基板Ｃの歪みに応じて補正を行う際に、アニュラーリングの値に応じて低減補正量（ｄｘ’，ｄｙ’）に制限を設けている。図１７に示すように、アニュラーリングは、ランド６６の内部に導通ビア６８が空けられている場合の導通ビア６８の全周を囲む環状領域であり、ランド径をＤ、穴径をｄとした場合の環状領域の幅であるアニュラーリングの幅Ｌは、Ｌ＝（Ｄ−ｄ）／２で表される。
【０１１２】
本実施形態に係る露光描画装置１０では、システム制御部４０のＨＤＤ４０Ａに、ランド６６のランド径Ｄ及び導通ビア６８の穴径ｄを示す情報が予め記憶されている。
【０１１３】
次に、図１８を参照して、本実施形態に係る露光描画装置１０の作用を説明する。なお、図１８は、操作装置４４を介して実行指示が入力された際に第２実施形態に係る露光描画装置１０のシステム制御部４０によって実行される露光制御処理プログラムの処理の流れを示すフローチャートである。当該プログラムは、システム制御部４０の上記ＲＯＭの所定領域に予め記憶されている。また、図１８における図１２と同一の処理を行うステップには図１２と同一のステップ番号を付して、その説明を極力省略する。
【０１１４】
本第２実施形態に係る露光描画装置１０では、上記ステップＳ１１９の処理を行った後、ステップＳ１２１に移行する。
【０１１５】
ステップＳ１２１では、アニュラーリングの幅Ｌを示す情報を取得する。本実施形態に係る露光描画装置１０では、ランド６６のランド径Ｄ及び導通ビア６８の穴径ｄを示す情報をシステム制御部４０のＨＤＤ４０Ａから読み出し、ランド径Ｄ及び穴径ｄの値を次の（５）式に代入することにより、アニュラーリングの幅Ｌを導出する。
【０１１６】
【数５】
2014199298.tif 000007
【０１１７】
なお、ランド径Ｄ及び穴径ｄは、被露光基板Ｃの種類や描画パターンの設計値に基づいてユーザが操作装置４４を介して入力しても良い。
【０１１８】
なお、アニュラーリングの幅Ｌの取得方法はこれに限定されない。当該取得方法は、例えば、外部に接続された情報処理装置から外部入出力部４８を介して入力する方法であっても良い。また、当該取得方法は、アニュラーリングの幅Ｌ（例えば３０μｍ）を示す情報をシステム制御部４０のＲＡＭ、ＨＤＤ４０Ａ等の記憶手段に予め記憶しておき、当該記憶手段から読み出す方法であっても良い。また、被露光基板Ｃの載置位置の誤差、描画する位置の誤差等を考慮し、アニュラーリングの幅Ｌの値を実物より狭くすることで、ランド６６から導通ビア６８がはみ出すことがないように余裕をもたせるようにしても良い。
【０１１９】
次のステップＳ１２３では、純補正量（ｄｘ０，ｄｙ０）乃至（ｄｘ３，ｄｙ３）から低減補正量（ｄｘ０’，ｄｙ０’）乃至（ｄｘ３’，ｄｙ３’）を減算した値が、アニュラーリングの幅Ｌより大きいか否かを判定する。この際、基準マークＭの各々について判定を行い、１つでもこの条件を満たしている場合に肯定判定とする。ステップＳ１２３で否定判定となった場合は上記ステップＳ１２７に移行する一方、肯定判定となった場合はステップＳ１２６に移行する。
【０１２０】
ステップＳ１２６では、被露光基板Ｃの歪みに対する補正によってランド６６と導通ビア６８との位置ずれが発生することを回避するために、低減補正量（ｄｘ０’，ｄｙ０’）乃至（ｄｘ３’，ｄｙ３’）を制限する。この際、純補正量（ｄｘ０，ｄｙ０）乃至（ｄｘ３，ｄｙ３）、アニュラーリングの幅Ｌを下記の（６）式に代入して得られた値を、低減補正量（ｄｘ０’，ｄｙ０’）乃至（ｄｘ３’，ｄｙ３’）とする。
【０１２１】
【数６】
2014199298.tif 000008
【０１２２】
なお、上記（６）式において、上述したように低減補正量（ｄｘ０’，ｄｙ０’）乃至（ｄｘ３’，ｄｙ３’）を制限することによって得られるずれ量を、ずれ量ｄｅ’としている。
【０１２３】
これにより、図１９に示すように、被露光基板Ｃに対する最低限の補正量を確保しつつ、ランド６６の内部に導通ビア６８が収まるように、被露光基板Ｃの歪みに対する補正量が低減された上で上記画像が変形される。これにより、導通ビア６８がランド６６の内部に収まり、電子部品を被露光基板Ｃ上へ高精度に実装することができる。
【０１２４】
一例として図２０の左図に示すように、低減率Ｎを４０％として低減補正量を導出して対象画像６２を変形させた場合に、ランド６６と導通ビア６８との位置がずれてしまうとする。この場合、図２０の右図に示すように、アニュラーリングの幅Ｌに基づいて低減補正量を制限することによって、導通ビア６８をランド６６の内部に収めることができる。なお、図２０では、描画対象とされる描画パターンに、ランド６６及び導通ビア６８の位置関係がわかりやすいように、描画対象とされる層の基準マークＭの位置にランド６６が設けられ、他層の基準マークＭの位置に導通ビア６８が設けられている。
【０１２５】
以上のように構成された露光描画装置１０による露光制御処理を実現するための各種処理は、プログラムを実行することにより、コンピュータを利用してソフトウェア構成により実現してもよい。ただし、ソフトウェア構成による実現に限られるものではなく、ハードウェア構成や、ハードウェア構成とソフトウェア構成の組み合わせによって実現してもよいことは言うまでもない。
【符号の説明】
【０１２６】
１０  露光描画装置
１２  ステージ
２２  露光部
２２ａ  露光ヘッド
３４  撮影部
４０  システム制御部
４０Ａ  ＨＤＤ
６２  対象画像
Ｃ  被露光基板
Ｍ、Ｍ１乃至Ｍ４  基準マーク
【図１】
2014199298.tif 000009
【図２】
2014199298.tif 000010
【図３】
2014199298.tif 000011
【図４】
2014199298.tif 000012
【図５】
2014199298.tif 000013
【図６Ａ】
2014199298.tif 000014
【図６Ｂ】
2014199298.tif 000015
【図７】
2014199298.tif 000016
【図８】
2014199298.tif 000017
【図９】
2014199298.tif 000018
【図１０】
2014199298.tif 000019
【図１１Ａ】
2014199298.tif 000020
【図１１Ｂ】
2014199298.tif 000021
【図１１Ｃ】
2014199298.tif 000022
【図１２】
2014199298.tif 000023
【図１３】
2014199298.tif 000024
【図１４Ａ】
2014199298.tif 000025
【図１４Ｂ】
2014199298.tif 000026
【図１５】
2014199298.tif 000027
【図１６】
2014199298.tif 000028
【図１７】
2014199298.tif 000029
【図１８】
2014199298.tif 000030
【図１９】
2014199298.tif 000031
【図２０】
2014199298.tif 000032